(57)【要約】【課題】テレビジョン等において、商用交流電源の電圧の異常低下を検出するための回路を構成する整流回路をサージ電流から保護することを課題とする。【解決手段】商用交流電源の交流を整流する第一の整流回路１０と、該第一の整流回路１０で整流された電圧に基づいてテレビジョン等の制御回路１００へ供給する直流電圧を第一の電源ライン２８ａ〜２８ｃに供給する電圧供給回路２０とを備え、前記商用交流電源の電圧の異常低下を検出するテレビジョン等において、前記商用交流電源の交流を整流して第二の電源ライン３８に供給する第二の整流回路３０と、該第二の整流回路３０に接続されたグランドライン３９に挿入された抵抗回路４１を有し、該抵抗回路４１から前記第二の整流回路３０とは反対側となる前記グランドライン３９に対する前記第二の電源ライン３８の電圧に基づいて前記商用交流電源の電圧の異常低下を検出する減電圧検出回路４０とを備える。【選択図】図２
2009302727.tif 000002
【特許請求の範囲】
【請求項１】
商用交流電源の交流を整流する第一の整流回路と、該第一の整流回路で整流された電圧に基づいて映像機器の制御回路へ供給する直流電圧を第一の電源ラインに供給する電圧供給回路とを備え、前記商用交流電源の電圧の異常を検出する電源装置において、
前記商用交流電源の交流を整流して第二の電源ラインに供給する第二の整流回路と、
該第二の整流回路に接続されたグランドラインに挿入された抵抗回路を有し、該抵抗回路から前記第二の整流回路とは反対側となる前記グランドラインに対する前記第二の電源ラインの電圧に基づいて前記商用交流電源の電圧の異常を検出する検出回路とを備えることを特徴とする電源装置。
【請求項２】
前記検出回路は、前記第二の電源ラインに挿入された第二の抵抗回路を有し、該第二の抵抗回路から前記第二の整流回路とは反対側となる前記第二の電源ラインの電圧に基づいて前記商用交流電源の電圧の異常を検出することを特徴とする請求項１に記載の電源装置。
【請求項３】
前記第一の整流回路及び前記第二の整流回路に接続された接地極無し２極差込プラグが設けられ、
前記第一の整流回路は、ブリッジ全波整流回路とされ、
前記第二の整流回路は、前記第一の整流回路の最大定格電流よりも小さい最大定格電流のブリッジ全波整流回路とされ、
前記抵抗回路は、一端が前記第二の整流回路における負極の出力部に接続された第一の抵抗器とされ、
前記第二の抵抗回路は、一端が前記第二の整流回路における正極の出力部に接続された第二の抵抗器とされ、
前記検出回路は、
発光素子及び受光素子を有するフォトカプラと、
前記発光素子に接続され、前記第二の整流回路における負極の出力部に接続された前記第一の抵抗器の他端に対する前記第二の整流回路における正極の出力部に接続された前記第二の抵抗器の他端の電圧を入力し、該電圧が所定電圧を超えると前記発光素子を発光させる一方で該所定電圧を下回ると前記発光素子の発光を停止させるスイッチ回路と、
前記受光素子に接続され、該受光素子がオンであるかオフであるかに応じた検出信号を生成して出力する検出信号出力回路とを有することを特徴とする請求項２に記載の電源装置。
【請求項４】
ブリッジ全波整流回路とされて商用交流電源の交流を整流する第一の整流回路と、該第一の整流回路で整流された電圧に基づいて直流電圧を生成して第一の電源ラインに供給する電圧供給回路と、信号受信用のアンテナを有して前記第一の電源ラインの電圧を駆動源とするとともに前記アンテナから受信した信号に基づいて映像を出力するテレビジョン制御回路と、前記第一の整流回路の最大定格電流よりも小さい最大定格電流のブリッジ全波整流回路とされて前記商用交流電源の交流を整流して第二の電源ラインに供給する第二の整流回路と、該第二の整流回路に接続されたグランドラインに対する前記第二の電源ラインの電圧に基づいて前記商用交流電源の電圧の異常低下を検出する減電圧検出回路と、該減電圧検出回路で前記商用交流電源の電圧の異常低下が検出されたときに前記テレビジョン制御回路による映像の出力を停止させる停止手段と、前記第一の整流回路及び前記第二の整流回路に接続された接地極無し２極差込プラグとを備えるテレビジョンにおいて、
前記減電圧検出回路は、
一端が前記第二の整流回路における負極の出力部に接続された第一の抵抗器と、
一端が前記第二の整流回路における正極の出力部に接続された第二の抵抗器と、
発光素子及び受光素子を有するフォトカプラと、
前記発光素子に接続され、前記第二の整流回路における負極の出力部に接続された前記第一の抵抗器の他端に対する前記第二の整流回路における正極の出力部に接続された前記第二の抵抗器の他端の電圧を入力し、該電圧が所定電圧を超えると前記発光素子を発光させる一方で該所定電圧を下回ると前記発光素子の発光を停止させるスイッチ回路と、
前記受光素子に接続され、該受光素子がオンであるかオフであるかに応じた検出信号を生成して前記停止手段へ出力する検出信号出力回路とを有し、
前記停止手段は、入力した前記検出信号が少なくとも前記受光素子のオフに対応した所定の条件となったときに前記テレビジョン制御回路による映像の出力を停止させることを特徴とするテレビジョン。
【発明の詳細な説明】
【技術分野】
【０００１】
本発明は、映像機器の制御回路へ供給する直流電圧を供給する電圧供給回路及び商用交流電源の電圧の異常を検出する検出回路を備える電源装置、並びに、該電源装置を備えるテレビジョンに関する。
【背景技術】
【０００２】
図５は、従来のテレビジョンの構成の概略を示すブロック図である。図に示すように、テレビジョン９００は、電圧Ｖ１〜Ｖ３で示される電源ライン９３８ａ〜９３８ｃに直流電圧を供給する電源回路９１０が電源用シャーシＣＨ１に設けられ、電源ライン９３８ａ〜９３８ｃの電圧Ｖ１〜Ｖ３を駆動源として映像を出力するテレビジョン制御回路９６０が制御回路用シャーシＣＨ２に設けられている。電源回路９１０は、商用交流電源の交流を整流するブリッジ全波整流回路９２０、この整流回路９２０で整流された電圧に基づいて直流電圧Ｖ１〜Ｖ３を生成する電圧供給回路９３０、を備えている。テレビジョン制御回路９６０は、テレビジョン９００全体の動作を制御するマイコン９７０、チューナ９８１に接続されたアンテナ９８２から受信した放送信号に基づいて映像を出力する一群の回路９８０、を備えている。
【０００３】
整流回路９２０には、商用交流電源のコンセントに差込可能な２極差込プラグ９１８が接続されている。電圧供給回路９３０のスイッチング回路９３１には、マイコン９７０のＩ／Ｏ（入出力）回路９７０ｅが接続されている。商用交流電源の電圧が下がりすぎると、電圧供給回路９３０の負荷が大きくなることにより電源回路９１０の発熱量が多くなるため、電圧供給回路９３０の負荷を少なくさせることが好ましい。そこで、商用交流電源の電圧の異常低下を検出する減電圧検出回路をテレビジョンに設け、この減電圧検出回路が商用交流電源の電圧の異常低下を検出すると電圧供給回路９３０の負荷を小さくさせる信号をマイコン９７０がスイッチング回路９３１へ出力することが行われている。
【０００４】
また、放送信号を受信するテレビジョンは、落雷によりサージ電流がアンテナから制御回路側シャーシを経由して電源側シャーシへ流れることを考慮しておくことが好ましい。また、テレビジョンにサージ電圧を加える安全規格試験の際にテレビジョンを構成する電子部品が劣化したり破損（破壊）したりしないように考慮しておくことが好ましい。そこで、電圧供給回路９３０にパターンギャップ９３２等の保護手段が設けられる。このような保護手段として、特許文献１に記載の落雷保護装置や、特許文献２に記載のスイッチング電源回路が開示されている。
【特許文献１】特開平１０−３１３５３２号公報
【特許文献２】特開２００２−１０６３５号公報
【発明の開示】
【発明が解決しようとする課題】
【０００５】
上述した整流回路９２０や電圧供給回路９３０には多くの電流が流れる一方、減電圧検出回路には多くの電流を流す必要がない。テレビジョンのコストダウンのため、商用交流電源の電圧の異常低下を検出する回路には最大定格電流の小さい電子部品が用いられることとなる。その際、商用交流電源の電圧の異常低下を検出する回路を構成する電子部品がサージ電流により劣化したり破損したりしないように考慮する必要がある。
【０００６】
以上を鑑み、本発明は、映像機器用の電源装置において、商用交流電源の電圧の異常を検出するための回路を構成する電子部品をサージ電流から保護することを目的としている。
【課題を解決するための手段】
【０００７】
上記目的を達成するため、本発明は、商用交流電源の交流を整流する第一の整流回路と、該第一の整流回路で整流された電圧に基づいて映像機器の制御回路へ供給する直流電圧を第一の電源ラインに供給する電圧供給回路とを備え、前記商用交流電源の電圧の異常を検出する電源装置において、前記商用交流電源の交流を整流して第二の電源ラインに供給する第二の整流回路と、該第二の整流回路に接続されたグランドラインに挿入された抵抗回路を有し、該抵抗回路から前記第二の整流回路とは反対側となる前記グランドラインに対する前記第二の電源ラインの電圧に基づいて前記商用交流電源の電圧の異常を検出する検出回路とを備えることを特徴とする。
【０００８】
すなわち、商用交流電源の電圧の異常は、上記抵抗回路から上記第二の整流回路とは反対側となる上記グランドラインに対する上記第二の電源ラインの電圧に基づいて検出される。ここで、上記第二の整流回路に接続されたグランドラインに抵抗回路が挿入されているので、映像機器の制御回路のグランドから検出回路のグランドラインを介して第二の整流回路へサージ電流が流れ難くなる。従って、映像機器用の電源装置において、商用交流電源の電圧の異常を検出するための第二の整流回路がサージ電流により劣化したり破損したりされることが抑止される。
【０００９】
前記検出回路は、前記第二の電源ラインに挿入された第二の抵抗回路を有し、該第二の抵抗回路から前記第二の整流回路とは反対側となる前記第二の電源ラインの電圧に基づいて前記商用交流電源の電圧の異常を検出してもよい。
【００１０】
前記第一の整流回路及び前記第二の整流回路に接続された接地極無し２極差込プラグが設けられ、前記第一の整流回路は、ブリッジ全波整流回路とされ、前記第二の整流回路は、前記第一の整流回路の最大定格電流よりも小さい最大定格電流のブリッジ全波整流回路とされ、前記抵抗回路は、一端が前記第二の整流回路における負極の出力部に接続された第一の抵抗器とされ、前記第二の抵抗回路は、一端が前記第二の整流回路における正極の出力部に接続された第二の抵抗器とされ、前記検出回路は、発光素子及び受光素子を有するフォトカプラと、前記発光素子に接続され、前記第二の整流回路における負極の出力部に接続された前記第一の抵抗器の他端に対する前記第二の整流回路における正極の出力部に接続された前記第二の抵抗器の他端の電圧を入力し、該電圧が所定電圧を超えると前記発光素子を発光させる一方で該所定電圧を下回ると前記発光素子の発光を停止させるスイッチ回路と、前記受光素子に接続され、該受光素子がオンであるかオフであるかに応じた検出信号を生成して出力する検出信号出力回路とを有していてもよい。
【００１１】
また、本発明は、ブリッジ全波整流回路とされて商用交流電源の交流を整流する第一の整流回路と、該第一の整流回路で整流された電圧に基づいて直流電圧を生成して第一の電源ラインに供給する電圧供給回路と、信号受信用のアンテナを有して前記第一の電源ラインの電圧を駆動源とするとともに前記アンテナから受信した信号に基づいて映像を出力するテレビジョン制御回路と、前記第一の整流回路の最大定格電流よりも小さい最大定格電流のブリッジ全波整流回路とされて前記商用交流電源の交流を整流して第二の電源ラインに供給する第二の整流回路と、該第二の整流回路に接続されたグランドラインに対する前記第二の電源ラインの電圧に基づいて前記商用交流電源の電圧の異常低下を検出する減電圧検出回路と、該減電圧検出回路で前記商用交流電源の電圧の異常低下が検出されたときに前記テレビジョン制御回路による映像の出力を停止させる停止手段と、前記第一の整流回路及び前記第二の整流回路に接続された接地極無し２極差込プラグとを備えるテレビジョンにおいて、前記減電圧検出回路は、一端が前記第二の整流回路における負極の出力部に接続された第一の抵抗器と、一端が前記第二の整流回路における正極の出力部に接続された第二の抵抗器と、発光素子及び受光素子を有するフォトカプラと、前記発光素子に接続され、前記第二の整流回路における負極の出力部に接続された前記第一の抵抗器の他端に対する前記第二の整流回路における正極の出力部に接続された前記第二の抵抗器の他端の電圧を入力し、該電圧が所定電圧を超えると前記発光素子を発光させる一方で該所定電圧を下回ると前記発光素子の発光を停止させるスイッチ回路と、前記受光素子に接続され、該受光素子がオンであるかオフであるかに応じた検出信号を生成して前記停止手段へ出力する検出信号出力回路とを有し、前記停止手段は、入力した前記検出信号が少なくとも前記受光素子のオフに対応した所定の条件となったときに前記テレビジョン制御回路による映像の出力を停止させることを特徴とする。
【発明の効果】
【００１２】
請求項１に係る発明によれば、映像機器用の電源装置において、商用交流電源の電圧の異常を検出するための第二の整流回路をサージ電流から保護することが可能な電源装置を提供することができる。
請求項２に係る発明では、第二の整流回路に接続された第二の電源ラインに第二の抵抗回路が挿入されているので、映像機器の制御回路のグランドから第二の整流回路へサージ電流が流れることをより確実に抑止することができ、より確実に第二の整流回路をサージ電流から保護することができる。
請求項３に係る発明では、差込プラグが接地極無しでも、検出回路のグランドラインや第二の電源ラインから第二の整流回路を介して差込プラグへサージ電流が流れにくいので、第二の整流回路をサージ電流から保護することができる。
請求項４に係る発明では、商用交流電源の電圧の異常を検出するための第二の整流回路をサージ電流から保護することが可能なテレビジョンを提供することができる。
【発明を実施するための最良の形態】
【００１３】
以下、下記の順序に従って本発明の実施形態を説明する。
（１）電源装置を備えるテレビジョンの構成：
（２）テレビジョンの作用、効果：
（３）変形例：
【００１４】
（１）電源装置を備えるテレビジョンの構成：
図１は本発明の一実施形態に係る電源装置２を備えるテレビジョン（映像機器）１の電気回路のブロック図、図２はテレビジョン１の電気回路の要部を示す図である。図１は、液晶テレビジョンを例にとって電気回路の構成を示している。
【００１５】
本テレビジョン１は、電源装置２とテレビジョン制御回路１００を備え、接地極無し２極差込プラグ８０を差し込んだコンセントから供給される商用交流電源ＡＣ１の電力に基づいて映像出力等の処理を行う。電源装置２は、電源用シャーシＣＨ１に配置される電源回路３、並びに、制御回路用シャーシＣＨ２に配置されるフォトカプラ４４及び検出信号出力回路６０を備えている。テレビジョン制御回路１００は、本発明にいう映像機器の制御回路であり、制御回路用シャーシＣＨ２に配置され、マイコン（マイクロコンピュータ）１１０、及び、放送信号に基づいて映像を出力する一群の回路１２１〜１２８を備えている。電源用シャーシＣＨ１は電源回路３のグランドとなり、制御回路用シャーシＣＨ２は検出信号出力回路６０、マイコン１１０及び一群の回路１２１〜１２８のグランドとなるが、両シャーシＣＨ１，ＣＨ２は電気的に分離されている。両シャーシＣＨ１，ＣＨ２の間には、３００〜３０００ｐＦ程度のコンデンサが接続されることがある。また、電源用シャーシＣＨ１とグランドとの間にＹコンデンサと呼ばれるコンデンサが接続されることがある。テレビジョン制御回路１００は、信号受信用のアンテナ１２２を有し、第一の電源ライン２８ａ〜２８ｃの電圧を駆動源として、アンテナ１２２から受信した信号に基づいて映像を出力する。
【００１６】
チューナ回路１２１は、テレビジョン放送信号受信用のアンテナ１２２が接続されている。チューナ回路１２１は、例えば、マイコン１１０の制御により、ＰＬＬ（Phase Lock Loop）シンセサイザ方式の選局方式で選局し、アンテナ１２２から受信したテレビジョン放送信号を高周波増幅し、増幅後の信号をヘテロダイン検波によって中間周波信号に変換する。高周波増幅の増幅率は、ＡＧＣ（Automatic Gain Control）回路１２５から出力されるＲＦ−ＡＧＣ（Radio Frequency Automatic Gain Control）電圧で決定される。
【００１７】
中間周波増幅回路１２３は、チューナ回路１２１から上記中間周波信号を入力し、該中間周波信号を増幅して映像検波回路１２４へ出力する。中間周波信号の増幅率は、ＡＧＣ回路１２５から出力されるＩＦ−ＡＧＣ（Intermediate Frequency Automatic Gain Control）電圧で決定される。
【００１８】
映像検波回路１２４は、中間周波増幅回路１２３から入力される中間周波信号から復号映像信号を取り出す。この復号映像信号には、輝度信号や搬送色信号や同期信号が含まれる。
【００１９】
ＡＧＣ回路１２５は、映像検波回路１２４から同期信号を入力し、該同期信号の大きさ強さに応じたＲＦ−ＡＧＣ電圧およびＩＦ−ＡＧＣ電圧を生成する。チューナ回路１２１は、ＲＦ−ＡＧＣ電圧を入力し、例えばＲＦ−ＡＧＣ電圧が高いほど増幅率を低下させる自動利得調整を行う。中間周波増幅回路１２３は、ＩＦ−ＡＧＣ電圧を入力し、例えばＩＦ−ＡＧＣ電圧が高いほど増幅率を低下させる自動利得調整を行う。
【００２０】
映像信号処理回路１２６は、複合映像信号をさらに増幅し、Ｙ／Ｃ分離回路１３１でＹ／Ｃ分離を行い、輝度信号（Ｙ）をマトリクス回路１３３に対して出力し、搬送色信号（Ｃ）を色復調回路１３２に対して出力し、同期分離によって得られる同期信号をマイコン１１０に対して出力する。色復調回路１３２は、Ｙ／Ｃ分離回路１３１から入力される搬送色信号（Ｃ）をＲ−Ｙの色差信号及びＢ−Ｙの色差信号に復調し、マトリクス回路１３３に対して出力する。マトリクス回路１３３は、入力される輝度信号（Ｙ）、Ｒ−Ｙ色差信号及びＢ−Ｙ色差信号に基づいてマトリクス変換処理を行い、ＲＧＢ（Red-Green-Blue）信号を生成する。
【００２１】
液晶ドライバ回路１２７は、画素数変換回路、画質調整回路、出力処理回路、フレームメモリ、を有し、ＲＧＢ信号に基づいて液晶モジュール１２８を駆動して映像を液晶パネル（画面）１４１に表示させる。画素数変換回路は、マトリクス回路１３３から入力されるＲＧＢ信号に対してスケーリング処理を行って１画面分のＲＧＢ信号を生成し、該ＲＧＢ信号を画素情報としてフレームメモリに格納する。画質調整回路は、フレームメモリに格納されたＲＧＢ信号に対して、ブライトネス、コントラスト、黒バランス、白バランス、といった画質調整を行う。出力処理回路は、画質調整後のＲＧＢ信号に対して、ガンマ補正、ディザ処理、等を行い、背景信号、ＯＳＤ（On-Screen Display）信号、ブランキング信号、等を付加して液晶パネル１４１に出力し、１画面分の画像を繰り返し表示させる。
【００２２】
液晶モジュール１２８は、液晶パネル１４１、インバータ１４３から供給される高電圧に基づいて液晶パネル１４１を背面から照射するバックライト１４２、入力される電源電圧から所定の高電圧を生成してバックライト１４２に供給するインバータ１４３、を備えている。液晶モジュール１２８は、バックライト１４２を点灯させながら液晶パネル１４１に映像を表示させる。
【００２３】
マイコン１１０は、内部のバスに接続されたＣＰＵ（Central Processing Unit）１１１、半導体メモリ１１２，１１３、タイマ回路１１４、Ｉ／Ｏ（入出力）回路１１５，１１６、等を備え、グランド端子がグランドに接続され、電源端子が直流電圧Ｖ３の電源ライン２８ｃに接続されている。ＣＰＵ１１１は、ＲＡＭ（Random Access Memory）１１３をワークエリアとして利用しながらＲＯＭ（Read Only Memory）１１２に書き込まれたテレビジョン用の制御プログラムを実行し、本テレビジョン１全体の動作を制御する。タイマ回路１１４は、一定時間毎に割込信号を生成してＣＰＵ１１１へ出力可能である。Ｉ／Ｏ回路１１５は、電源回路３の電圧供給回路２０を構成するスイッチング回路２２に接続され、電圧供給回路２０の電圧供給を停止させる信号等、電圧供給回路２０の負荷を小さくさせる信号をスイッチング回路２２へ出力可能である。Ｉ／Ｏ回路１１６は、検出信号出力回路６０を構成するダイオード６２のカソードに接続され、商用交流電源ＡＣ１の電圧が異常であるか否かに応じた検出信号ＳＩ１を入力する。マイコン１１０は、減電圧検出回路４０で商用交流電源ＡＣ１の電圧の異常低下が検出されたときにテレビジョン制御回路１００による映像の出力を停止させる停止手段を構成する。ここで、電源ライン２８ｃとグランドとの間にコンデンサ１５１が挿入されているので、商用交流電源ＡＣ１の電圧が異常低下したときでもしばらくの間マイコン１１０が動作する。
【００２４】
本電源装置２は、第一の整流回路１０、電圧供給回路２０、第二の整流回路３０、減電圧検出回路（本発明にいう検出回路）４０、を備え、商用交流電源ＡＣ１の電圧の異常を検出する。整流回路１０，３０には、商用交流電源ＡＣ１のコンセントに差込可能な接地極無し２極差込プラグ８０が接続されている。
【００２５】
第一の整流回路１０は、商用交流電源ＡＣ１の交流を整流する。本実施形態の整流回路１０は、正極の出力部１１にカソード側が接続されたダイオードＤ２，Ｄ４と、負極の出力部１２にアノード側が接続されたダイオードＤ１，Ｄ３とを備え、ダイオードＤ１，Ｄ２の接続部及びダイオードＤ３，Ｄ４の接続部が商用交流電源ＡＣ１の入力部とされたブリッジ全波整流回路とされている。第一の整流回路１０の最大定格電流は、例えば、５〜２０Ａとされる。
【００２６】
電圧供給回路２０は、第一の整流回路１０で整流された電圧に基づいてテレビジョン制御回路１００へ供給する直流電圧Ｖ１〜Ｖ３（０＜Ｖ１＜Ｖ２＜Ｖ３）を第一の電源ライン２８ａ〜２８ｃに供給する。本実施形態の電圧供給回路２０は、平滑回路２１、スイッチング回路２２、トランス２３、整流回路２４ａ〜２４ｃ、平滑回路２５ａ〜２５ｃ、保護回路２６、を備えるスイッチングレギュレータとされている。平滑回路２１は、コンデンサで構成され、一端が正極の出力部１１に接続され、他端がグランドに接続されている。スイッチング回路２２は、スイッチングレギュレータ用の回路とされ、入力側が整流回路の出力部１１，１２に接続され、出力側がトランス２３に接続されている。また、スイッチング回路２２は、マイコンのＩ／Ｏ回路１１５に接続され、電圧供給回路２０の電圧供給を停止させる信号等、Ｉ／Ｏ回路１１５から入力される信号に応じて動作する。トランス２３は、一次側がスイッチング回路２２に接続され、二次側が第一の電源ライン２８ａ〜２８ｃ及びグランドに接続されている。整流回路２４ａ〜２４ｃは、それぞれダイオードで構成され、アノード側がトランス２３に接続され、カソード側が直流電圧Ｖ１〜Ｖ３の出力部とされている。平滑回路２５ａ〜２５ｃは、それぞれコンデンサで構成され、一端がダイオード２４ａ〜２４ｃのカソード側に接続され、他端がグランドに接続されている。
【００２７】
以上の構成により、電圧供給回路２０は、第一の整流回路１０で整流された電圧に基づいて直流電圧Ｖ１〜Ｖ３を生成して第一の電源ライン２８ａ〜２８ｃに供給する。例えば、最も高い電圧Ｖ１がインバータ１４３に供給され、最も低い電圧Ｖ３がマイコン１１０や検出信号出力回路６０に供給される。
【００２８】
第二の整流回路３０は、商用交流電源ＡＣ１の交流を整流し、整流した電流を第二の電源ライン３８に供給する。本実施形態の整流回路３０は、正極の出力部３１にカソード側が接続されたダイオードＤ６，Ｄ８と、負極の出力部３２にアノード側が接続されたダイオードＤ５，Ｄ７とを備え、ダイオードＤ５，Ｄ６の接続部及びダイオードＤ７，Ｄ８の接続部が商用交流電源ＡＣ１の入力部とされたブリッジ全波整流回路とされている。第二の整流回路３０は、フォトカプラ４４を駆動するための電流があればよいため、僅かな電流しか流れない。テレビジョンのコストダウンのため、第二の整流回路３０の最大定格電流は、第一の整流回路１０の最大定格電流よりも小さくされ、例えば、５０〜２０００ｍＡとされる。
【００２９】
減電圧検出回路４０は、第二の整流回路３０に接続されたグランドライン３９に挿入された抵抗回路４１を有し、該抵抗回路４１から第二の整流回路３０とは反対側となる前記グランドライン３９に対する第二の電源ライン３８の電圧、すなわち、接続部４０ｂに対する接続部４０ａの電圧に基づいて、商用交流電源ＡＣ１の電圧の異常を検出する。本実施形態の減電圧検出回路４０は、電源用シャーシＣＨ１側に第一の抵抗回路４１と第二の抵抗回路４２とスイッチ回路５０とを備え、制御回路用シャーシＣＨ２にフォトカプラ４４と検出信号出力回路６０とを備えている。
【００３０】
第一の抵抗回路４１は、グランドライン３９に挿入された高抵抗の第一の抵抗器とされている。この第一の抵抗器４１は、一端が第二の整流回路３０における負極の出力部３２に接続され、他端がグランドライン３９における接続部４０ｂに接続されている。第二の抵抗回路４２は、第二の整流回路３０に接続された第二の電源ライン３８に挿入された高抵抗の第二の抵抗器４２とれている。この第二の抵抗器４２は、一端が第二の整流回路３０における正極の出力部３１に接続され、他端が第二の電源ライン３８における接続部４０ａに接続されている。減電圧検出回路４０は、第二の抵抗回路４２から第二の整流回路３０とは反対側となる第二の電源ライン３８の電圧に基づいて商用交流電源ＡＣ１の電圧の異常を検出する。ここで、第一の抵抗回路４１及び第二の抵抗回路４２の抵抗値は、スイッチ回路５０を動作させる微電流を流す一方でライン３８，３９にサージ電流がほとんど流れないようにする観点から、６〜４００ｋΩ（キロオーム）が好ましく、１２〜２００ｋΩがより好ましく、２５〜１００ｋΩがさらに好ましく、４０〜７０ｋΩが特に好ましい。
【００３１】
スイッチ回路５０は、フォトカプラ４４の発光素子４５に接続され、第二の整流回路３０における負極の出力部３２に接続された第一の抵抗器４１の他端（接続部４０ｂ）に対する第二の整流回路３０における正極の出力部３１に接続された第二の抵抗器４２の他端（接続部４０ａ）の電圧を入力し、該電圧が所定電圧（例えば８０Ｖ）を超えると発光素子４５を発光させる一方で該所定電圧を下回ると発光素子４５の発光を停止させる。本実施形態のスイッチ回路５０は、ｎｐｎ型トランジスタ５１、ツェナーダイオード群５２、ツェナーダイオード５３、コンデンサ５４，５５、抵抗器５６，５７，５８、を備えている。
【００３２】
接続部４０ａ，４０ｂ間には、コンデンサ５４が接続され、さらに、コンデンサ５４と並列に抵抗器５６、ツェナーダイオード群５２及びコンデンサ５５が直列接続されている。ツェナーダイオード群５２は、カソード側が抵抗器５６に接続され、アノード側がコンデンサ５５に接続されている。ツェナーダイオード群５２は、所望のツェナー電圧を得るために複数のツェナーダイオード５２ａ，５２ｂを直列接続して構成している。むろん、３以上のツェナーダイオードを直列接続してツェナーダイオード群を構成してもよいし、ツェナーダイオード群の代わりに単一のツェナーダイオードを用いてもよい。コンデンサ５５には、抵抗器５８が並列接続されている。トランジスタ５１は、抵抗回路４１から第二の整流回路３０とは反対側となるグランドライン３９（接続部４０ｂ）にエミッタが接続され、コレクタが発光素子４５のカソードに接続され、ベースがツェナーダイオード群５２のアノード側に接続されている。ツェナーダイオード５３は、抵抗回路４１から第二の整流回路３０とは反対側となるグランドライン３９（接続部４０ｂ）にアノードが接続され、カソードが発光素子４５のアノードに接続されている。抵抗器５７は、抵抗回路４２から第二の整流回路３０とは反対側となる電源ライン３８（接続部４０ａ）に一端が接続され、他端がツェナーダイオード５３のカソードに接続されている。
【００３３】
スイッチ回路５０を構成する各素子は、接続部４０ｂに対する接続部４０ａの電圧が正常範囲の下限（上記所定電圧）を超えると発光素子４５を発光させる一方で該下限を下回ると発光素子４５の発光を停止させるように選択すればよい。
【００３４】
フォトカプラ４４は、入力側に発光素子４５を有し、出力側に受光素子４６を有している。発光素子４５は、例えば、両端に所定電圧以上の電圧が加わったときに発光する発光ダイオードで構成される。受光素子４６は、例えば、発光素子４５からの光を検出するとオン（導通状態）となるフォトトランジスタで構成される。受光素子４６は、コレクタが第一の電源ライン２８ｃに接続され、エミッタが検出信号出力回路６０の抵抗器６４に接続されている。
【００３５】
検出信号出力回路６０は、受光素子４６に接続され、該受光素子４６がオンであるかオフ（電流遮断状態）であるかに応じた検出信号ＳＩ１を生成して出力する。本実施形態の検出信号出力回路６０は、ｎｐｎ型トランジスタ６１、ダイオード６２、抵抗器６３，６４，６５、を備えている。受光素子４６のエミッタとグランドとの間は、抵抗器６４，６５が直列接続されている。トランジスタ６１は、エミッタがグランドに接続され、コレクタがダイオード６２のアノードに接続され、ベースが抵抗器６４，６５の接続部に接続されている。抵抗器６３は、一端が第一の電源ライン２８ｃに接続され、他端がトランジスタ６１のコレクタに接続されている。ダイオード６２は、アノードがトランジスタ６１のコレクタに接続され、カソードがマイコンのＩ／Ｏ回路１１６に接続されている。検出信号出力回路６０は、受光素子４６がオンであるかオフであるかに応じた検出信号ＳＩ１を生成してマイコン（停止手段）１１０へ出力する。
【００３６】
商用交流電源ＡＣ１の交流電圧が正常範囲の下限を超えているとき、接続部４０ｂに対する接続部４０ａの電圧が正常範囲の下限（上記所定電圧）を超え、スイッチ回路５０のトランジスタ５１のコレクタ−エミッタ間が導通状態となり、フォトカプラの発光素子４５が発光する。すると、フォトカプラの受光素子４６がオンとなり、受光素子４６がオンであることに応じた検出信号ＳＩ１がダイオード６２からマイコン１１０へ出力される。このときの検出信号ＳＩ１の状態が商用交流電源ＡＣ１の電圧の異常を検出していない状態である。一方、商用交流電源ＡＣ１の交流電圧が正常範囲の下限を下回ったとき、接続部４０ｂに対する接続部４０ａの電圧が正常範囲の下限（上記所定電圧）を下回り、スイッチ回路５０のトランジスタ５１のコレクタ−エミッタ間が電流遮断状態となり、フォトカプラの発光素子４５の発光が停止する。すると、フォトカプラの受光素子４６がオフとなり、受光素子４６がオフであることに応じた検出信号ＳＩ１がダイオード６２からマイコン１１０へ出力される。このときの検出信号ＳＩ１の状態が商用交流電源ＡＣ１の電圧の異常を検出している状態である。
【００３７】
なお、グランドライン３９や第二の電源ライン３８に高抵抗４１，４２が挿入されていても、ライン３８，３９に流れる電流が僅かであるため、商用交流電源ＡＣ１の電圧に応じた十分な電圧が接続部４０ａ，４０ｂ間に生じる。従って、減電圧検出回路４０は、第二の整流回路３０に接続されたグランドライン３９に対する第二の電源ライン３８の電圧に基づいて商用交流電源ＡＣ１の電圧の異常低下を検出することができる。
【００３８】
マイコン（停止手段）１１０は、検出信号出力回路６０から入力した検出信号ＳＩ１が少なくとも受光素子４６のオフに対応した所定の条件となったときにテレビジョン制御回路１００による映像の出力を停止させる。その処理の一例を、図３に示している。同図の処理は、例えば、タイマ回路１１４からＣＰＵ１１１へ一定時間毎の割込信号が入力されたときに行われる。むろん、受光素子４６がオフであることに応じた検出信号ＳＩ１が入力されたときにＩ／Ｏ回路１１６からＣＰＵ１１１へ出力する割込信号を生成し、該割込信号が生成されたときにＣＰＵ１１１が同図の処理を行ってもよい。
【００３９】
本処理における所定の条件は、ステップＳ１０２（以下、「ステップ」の記載を省略）の判断時に検出信号ＳＩ１が受光素子４６のオフに対応した状態であることとされている。すなわち、マイコン１１０は、検出信号ＳＩ１が受光素子４６のオンに対応した状態であると判断されたときには電源オフ信号を出力せず（例えばハイレベルの信号をスイッチング回路２２へ出力）、検出信号ＳＩ１が受光素子４６のオフに対応した状態であると判断されたときには必ず電源オフ信号（例えばローレベルの信号）を出力する。
【００４０】
マイコン１１０は、図３に示す割込処理を開始すると、Ｉ／Ｏ回路１１６の状態を読み込み、商用交流電源ＡＣ１の電圧が異常低下しているか否かを判断する（Ｓ１０２）。検出信号ＳＩ１が受光素子オンであることに応じた信号である場合、条件不成立となり、同図の処理を終了する。本処理がタイマ割込により行われる場合、一定時間後に再び本処理が行われる。一方、検出信号ＳＩ１が受光素子オフであることに応じた信号である場合、条件成立となり、マイコン１１０は、電圧供給回路２０の電圧供給を停止させる電源オフ信号をＩ／Ｏ回路１１５からスイッチング回路２２へ出力して（Ｓ１０４）、割込処理を終了する。すると、電圧供給回路２０は、スイッチ素子のスイッチングを停止させ、電圧Ｖ１〜Ｖ３の供給を停止させる。むろん、コンデンサ１５１に電荷が蓄えられているため、マイコン１１０は、コンデンサ１５１の電荷を駆動源として電圧供給回路２０の電圧供給を停止させる処理を行うことができる。このようにして、電圧異常低下時に電圧供給回路２０の負荷が大きくなることによる電源回路３の過熱を抑止することができる。
【００４１】
また、図４に示す変形例における所定の条件は、検出信号ＳＩ１が受光素子４６のオフに対応した状態であると連続してＮ回（Ｎは２以上の整数）判断されることとされている。すなわち、検出信号ＳＩ１が受光素子４６のオフに対応した状態であると連続してＮ回判断されたときに初めて電源オフ信号を出力し、それ以外のときには電源オフ信号を出力しない。
【００４２】
マイコン１１０は、図３に示す割込処理を開始すると、まず、ＲＡＭ１１３に設けられたカウンタＣを０にする（Ｓ２０２）。次に、マイコン１１０は、Ｉ／Ｏ回路１１６の状態を読み込み、商用交流電源ＡＣ１の電圧が異常低下しているか否かを判断する（Ｓ１０２）。検出信号ＳＩ１が受光素子オンであることに応じた信号である場合、同図の処理を終了する。一方、検出信号ＳＩ１が受光素子オフであることに応じた信号である場合、マイコン１１０は、カウンタＣに１を加え（Ｓ２０６）、ＣがＮ以上であるか否かを判断する（Ｓ２０８）。Ｃ＜Ｎの場合、マイコン１１０は、所定期間Ｔミリ秒（Ｔ＞０）待機し（Ｓ２１０）、Ｓ２０４に戻る。一方、Ｃ≧Ｎの場合、マイコン１１０は、電圧供給回路２０の電圧供給を停止させる電源オフ信号をＩ／Ｏ回路１１５からスイッチング回路２２へ出力して（Ｓ２１２）、割込処理を終了する。
【００４３】
（２）テレビジョンの作用、効果：
図６は、比較例２に係るテレビジョン９００の電気回路の要部を示している。該テレビジョン９００は、図５に示す比較例１のテレビジョンに第二のブリッジ全波整流回路９４０、電源側減電圧検出回路９５０、制御回路側減電圧検出回路９９０、を備えている。電源用シャーシＣＨ１に設けられた電源側減電圧検出回路９５０は、上述した実施形態のスイッチ回路５０と同様の回路で構成することができる。むろん、上述した実施形態の抵抗回路４１，４２は、存在しない。制御回路用シャーシＣＨ２に設けられた制御回路側減電圧検出回路９９０は、上述した実施形態のフォトカプラ４４及び検出信号出力回路６０で構成することができる。
【００４４】
テレビジョンには、アンテナへの落雷を想定してサージ電圧をアンテナに加える安全規格試験が行われる。この安全規格試験は、雷サージ試験と呼ばれたり、ラインダンプ試験と呼ばれたりする。サージ電圧をアンテナ１２２に加えるライン−アンテナ間の安全規格試験を行うと、図６の二点鎖線の矢印に示すように、サージ電流ＳＵが制御回路用シャーシＣＨ２から電源用シャーシＣＨ１、第二の整流回路９４０、差込プラグ９１８を経て商用交流電源ＡＣ１へ流れることがある。特に、近年のテレビジョン本体は小型化されてきているため、制御回路用シャーシＣＨ２から電源用シャーシＣＨ１へ流れようとするサージ電流を防ぐのに十分な沿面距離（空間距離、間隔）をシャーシＣＨ１，ＣＨ２間にとることができず、テレビジョン本体はサージ電流ＳＵが流れやすい構造となっている。例えば、シャーシＣＨ１，ＣＨ２間に５ｋＶのサージ電圧が加わると、沿面距離が５ｍｍでもシャーシＣＨ１，ＣＨ２間に放電が生じる。しかし、テレビジョン本体の小型化のため、シャーシＣＨ１，ＣＨ２全体にわたって５ｍｍの沿面距離を確保することができないことがある。
【００４５】
また、テレビジョンのコストダウンのため、商用交流電源の電圧の異常低下を検出する回路には最大定格電流の小さい電子部品が用いられる。すなわち、第二の整流回路９４０は、第一の整流回路９２０の最大定格電流よりも小さい最大定格電流とされるので、サージ電流が流れやすい。さらに、第一の整流回路９２０に接続されるようなパターンギャップを第二の整流回路９４０に接続しても、最大定格電流の小さい第二の整流回路９４０にサージ電流が流れることがあるうえ、テレビジョンのコストアップに繋がってしまう。
【００４６】
なお、差込プラグに接地極があれば、サージ電流が第二の整流回路９４０を経ずに電源用シャーシＣＨ１から差込プラグの接地極へ流れることが期待される。しかし、差込プラグに接地極が無い場合、第二の整流回路９４０は、電源用シャーシＣＨ１から接地極無し差込プラグ９１８へのサージ電流の通り道となってしまう。これにより、第二の整流回路９４０のダイオードが劣化したり破損（破壊）したりすることがある。むろん、実際にアンテナ９８２に落雷しても、第二の整流回路９４０のダイオードが劣化等してしまうことが想定される。
【００４７】
なお、特開平10-313532号公報には、落雷時に発生する落雷サージ電流が回線切換器側に分流することなく、確実にテレビジョン受像機内の落雷保護装置を介してアースへと導き且つ放電させて、他の機器への破損を防止することができるようにした電子機器の落雷保護装置の構成が開示されている。また、特開2002-10635号公報には、電気製品の安全規格試験時に回路の電気素子が焼損する問題を回避することを目的として、スイッチング動作時にスイッチングトランスより所定の電圧を出力可能な値にそれぞれ設定された電子素子にて構成されるスイッチング電源であって、電解効果トランジスタのソース側とアース側との間に接続された抵抗体を、前記電解効果トランジスタのドレインとソースとを短絡したとき、通電で開放されない抵抗値にした電源回路の構成が開示されている。しかし、両公報には、テレビジョン受信機におけるラインダンプ試験あるいはライン−アンテナ間の試験・対策に関しては開示されていない。
【００４８】
本実施形態のテレビジョン１は、第二の整流回路３０に接続されたグランドライン３９に抵抗回路４１が挿入されているので、電源用シャーシＣＨ１からグランドライン３９を介して第二の整流回路３０へサージ電流が流れ難くなり、ダイオードＤ５〜Ｄ８を通じた放電が阻止される。また、第二の整流回路３０に接続された第二の電源ライン３８に第二の抵抗回路４２が挿入されているので、電源用シャーシＣＨ１から第二の電源ライン３８を介して第二の整流回路３０へサージ電流が流れ難くなり、ダイオードＤ５〜Ｄ８を通じた放電が阻止される。むろん、グランドライン３９や第二の電源ライン３８に高抵抗４１，４２が挿入されていても、商用交流電源ＡＣ１の電圧の異常低下を検出することができる。
【００４９】
なお、第二の整流回路３０へ流れ難くされたサージ電流は、例えば、電源用シャーシＣＨ１のＹコンデンサを経由して放電される。従って、商用交流電源ＡＣ１の電圧の異常を検出するための第二の整流回路３０のダイオードＤ５〜Ｄ８がサージ電流により劣化したり破損したりされることが抑止される。むろん、本実施形態のように差込プラグ８０が接地極無しでも、減電圧検出回路４０のグランドライン３９や第二の電源ライン３８から第二の整流回路３０を介して差込プラグ８０へサージ電流が流れにくいので、第二の整流回路３０のダイオードＤ５〜Ｄ８をサージ電流から保護することができる。
【００５０】
（３）変形例：
本発明を適用可能な映像機器には、テレビジョンやプロジェクタといった表示装置、ビデオテープレコーダやＤＶＤ（Digital Versatile Disk）レコーダやＨＤＤ（Hard Disk Drive）レコーダといった記録再生装置、等が含まれる。テレビジョンには、液晶テレビジョン、プラズマテレビジョン、ブラウン管テレビジョン、等が含まれる。
【００５１】
上述した抵抗回路４１，４２，５６，５７，５８，６３，６４，６５は、単一の抵抗器のみならず、複数の抵抗器を直列接続したり並列接続したりした回路とされてもよい。むろん、ダイオードＤ１〜Ｄ８，２４ａ〜２４ｃ，６２、コンデンサ２１，２５ａ〜２５ｃ，５４，５５，１５１、ツェナーダイオード５２ａ，５２ｂ，５３等の素子についても、複数の素子を接続した回路とされてもよい。
【００５２】
商用交流電源の電圧の異常を検出する回路は、減電圧検出以外にも、商用交流電源の電圧の異常上昇を検出する過電圧検出回路でもよい。この場合、マイコン（停止手段）１１０は、過電圧検出回路で商用交流電源の電圧の異常低下が検出されたときにテレビジョン制御回路１００による映像の出力を停止させる処理を行えばよい。
【００５３】
また、商用交流電源の電圧の異常を検出する回路には、第二の抵抗回路４２が無くてもよい。この場合も、商用交流電源の電圧の異常を検出するための第二の整流回路をサージ電流から保護することが可能となる。
【００５４】
なお、本発明は、上記実施例に限られない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００５５】
【図１】テレビジョンの電気回路の構成を例示するブロック図。
【図２】テレビジョンの電気回路の要部を例示する図。
【図３】マイコンが行う割り込み処理を例示するフローチャート。
【図４】変形例においてマイコンが行う割り込み処理を示すフローチャート。
【図５】比較例に係るテレビジョンの電気回路の要部を示す図。
【図６】比較例に係るテレビジョンの電気回路の要部を示す図。
【符号の説明】
【００５６】
１…テレビジョン（映像機器）、
２…電源装置、３…電源回路、
１０…第一の整流回路、１１…正極の出力部、１２…負極の出力部、
２０…電圧供給回路、２８ａ，２８ｂ，２８ｃ…第一の電源ライン、
３０…第二の整流回路、３１…正極の出力部、３２…負極の出力部、
３８…第二の電源ライン、３９…検出回路のグランドライン、
４０…減電圧検出回路（検出回路）、４０ａ，４０ｂ…接続部、
４１…第一の抵抗器（第一の抵抗回路）、４２…第二の抵抗器（第二の抵抗回路）、
４４…フォトカプラ、４５…発光素子、４６…受光素子、
５０…スイッチ回路、５１…ｎｐｎ型トランジスタ、
６０…検出信号出力回路、６１…ｎｐｎ型トランジスタ、
８０…接地極無し２極差込プラグ、
１００…テレビジョン制御回路（映像機器の制御回路）、
１１０…マイクロコンピュータ（停止手段の一部）、
１２２…アンテナ、
ＡＣ１…商用交流電源、
ＣＨ１…電源用シャーシ、ＣＨ２…制御回路用シャーシ、
Ｄ１〜Ｄ８…ダイオード、
ＳＩ１…検出信号、
【図１】
2009302727.tif 000003
【図２】
2009302727.tif 000004
【図３】
2009302727.tif 000005
【図４】
2009302727.tif 000006
【図５】
2009302727.tif 000007
【図６】
2009302727.tif 000008